(57)【特許請求の範囲】
【請求項１】
水栓と、この水栓よりも高い位置に設けたパイプ製の手すりと、前記水栓および前記手すりの内部を連通させる連通部材とで構成される浴室、シャワルームにおける手すりを備えた水栓装置において、前記手すりは、前記手すりの中間に位置する部材として使用される中間部材と前記手すりの両端に位置する部材として使用される端部材あるいは端部材同士で構成され、前記中間部材は、胴部にシャワー散水口が形成されたストレートなパイプ形状を有する一方、前記端部材は、胴部にシャワー散水口が形成されるとともに、一端に、メクラ栓、または、シャワー散水口とシャワーホース接続口に流路を切替える流路切替部材を備えたストレートなパイプ形状を有し、更に、前記手すりは、前記中間部材および端部材、あるいは、端部材同士を組み合わせて取り外し自在に連結してなることを特徴とする浴室、シャワルームにおける手すりを備えた水栓装置。
【請求項２】
水栓と、この水栓よりも高い位置に設けたパイプ製の手すりと、前記水栓および前記手すりの内部を連通させる連通部材とで構成される浴室、シャワルームにおける手すりを備えた水栓装置において、前記手すりは、前記手すりの中間に位置する部材として使用される中間部材と前記手すりの両端に位置する部材として使用される端部材とで構成され、前記中間部材は、胴部にシャワー散水口が形成されたストレートなパイプ形状を有する一方、前記端部材は、胴部にシャワー散水口が形成されるとともに、一端に、メクラ栓を備えたストレートなパイプ形状を有し、更に、前記手すりは、前記中間部材および端部材を組み合わせて取り外し自在に連結してなることを特徴とする浴室、シャワルームにおける手すりを備えた水栓装置。
【請求項３】
前記端部材は連通部材接続口を有する請求項１または請求項２に記載の浴室、シャワルームにおける手すりを備えた水栓装置。
【請求項４】
前記端部材は、浴室、シャワルームの壁に取付部材を介して取付けられる請求項１ないし請求項３のいずれかに記載の浴室、シャワルームにおける手すりを備えた水栓装置。
【請求項５】
水栓と、この水栓よりも高い位置に設けたパイプ製の手すりと、前記水栓および前記手すりの内部を連通させる連通部材とで構成される浴室、シャワルームにおける手すりを備えた水栓装置において、前記手すりは、上下部分と左右横部分とこれらを連結する９０°型エルボ部材とで構成されて浴室の壁に取付部材を介して取付けられており、前記左右横部分は、浴槽用吐水管が接続される吐水管接続口の側とシャワーホース接続口の側に流路を切替える流路切替部材を一端に備えたストレートなパイプ形状を有し、前記上下部分は、一端にメクラ栓を備えたストレートなパイプ形状を有し、また、前記左右横部分は連通部材接続口を有し、更に、前記手すりは、前記上下部分と左右横部分を取り外し自在に連結してなることを特徴とする浴室、シャワルームにおける手すりを備えた水栓装置。
【発明の詳細な説明】
【０００１】
【発明の属する技術分野】
この発明は、浴室、シャワルームにおける手すりを備えた水栓装置に関するものである。
【０００２】
【従来の技術およぴ発明が解決しようとする課題】
図６に示すように、浴室７７の例えば洗い場に位置する壁Ｗの下部に、例えば切替コック７１の切替操作により吐水管接続口７２またはシャワーホース接続口７３に切り替えて水、湯、または混合水を吐水管７４またはシャワーホース７５に供給するサーモ型湯水混合水栓７６が横置き状態で設置されるとともに、浴室７７内の壁に手すり（図示せず）が設置されているものがある。しかし、ただでさえ狭い浴室７７の洗い場が前記手すりに邪魔されて狭くなる上に手すりに体が当たることがあった。
【０００３】
この発明は、スペースをできるだけとらずに手すりの設置を可能とする浴室、シャワルームにおける手すりを備えた水栓装置を提供することを目的とする。
【０００４】
【課題を解決するための手段】
上記目的を達成するために、この発明は、水栓と、この水栓よりも高い位置に設けたパイプ製の手すりと、前記水栓および前記手すりの内部を連通させる連通部材とで構成される浴室、シャワルームにおける手すりを備えた水栓装置において、前記手すりは、前記手すりの中間に位置する部材として使用される中間部材と前記手すりの両端に位置する部材として使用される端部材あるいは端部材同士で構成され、前記中間部材は、胴部にシャワー散水口が形成されたストレートなパイプ形状を有する一方、前記端部材は、胴部にシャワー散水口が形成されるとともに、一端に、メクラ栓、または、シャワー散水口とシャワーホース接続口に流路を切替える流路切替部材を備えたストレートなパイプ形状を有し、更に、前記手すりは、前記中間部材および端部材、あるいは、端部材同士を組み合わせて取り外し自在に連結してなる。
【０００５】
また、この発明は別の観点から、水栓と、この水栓よりも高い位置に設けたパイプ製の手すりと、前記水栓および前記手すりの内部を連通させる連通部材とで構成される浴室、シャワルームにおける手すりを備えた水栓装置において、前記手すりは、前記手すりの中間に位置する部材として使用される中間部材と前記手すりの両端に位置する部材として使用される端部材とで構成され、前記中間部材は、胴部にシャワー散水口が形成されたストレートなパイプ形状を有する一方、前記端部材は、胴部にシャワー散水口が形成されるとともに、一端に、メクラ栓を備えたストレートなパイプ形状を有し、更に、前記手すりは、前記中間部材および端部材を組み合わせて取り外し自在に連結してなることを特徴とする浴室、シャワルームにおける手すりを備えた水栓装置を提供する。
【０００６】
また、この発明は更に別の観点から、水栓と、この水栓よりも高い位置に設けたパイプ製の手すりと、前記水栓および前記手すりの内部を連通させる連通部材とで構成される浴室、シャワルームにおける手すりを備えた水栓装置において、前記手すりは、上下部分と左右横部分とこれらを連結する９０°型エルボ部材とで構成されて浴室の壁に取付部材を介して取付けられており、前記左右横部分は、浴槽用吐水管が接続される吐水管接続口の側とシャワーホース接続口の側に流路を切替える流路切替部材を一端に備えたストレートなパイプ形状を有し、前記上下部分は、一端にメクラ栓を備えたストレートなパイプ形状を有し、また、前記左右横部分は連通部材接続口を有し、更に、前記手すりは、前記上下部分と左右横部分を取り外し自在に連結してなることを特徴とする浴室、シャワルームにおける手すりを備えた水栓装置を提供する。
【０００７】
【発明の実施の形態】
以下にこの発明の実施の形態について説明する。なお、この発明はそれによって限定されるものではない。
【０００８】
図１は、浴室の洗い場に位置する壁に水栓が設置され、この壁の水栓よりも高い位置に、パイプ製でＬ字型の手すりを設けたこの発明の第１の実施形態を示す。
【０００９】
図１において、１は、浴室６０の洗い場に位置する壁で、公知のサーモ型湯水混合水栓（以下、水栓という）２が横置き水平状態で壁面に沿って設置されている。２ａは、円筒形状の水栓本体である。この水栓本体２ａは、浴室床面から略３００〜４００ｍｍの高さに位置する。
前記水栓本体２ａは、一端（正面向かって右側）に、水、湯、または混合水の吐出状態と止水状態を切り替えるための切替ハンドル３が設けられる一方、他端（正面向かって左側）に、混合水の自動温度調節を行うための温調ハンドル４が設けられている。切替ハンドル３は、その操作により、流量調節可能に、かつ水、湯、または混合水を、後述するように吐水管５または連通部材に切り替えて供給するように構成されている。前記水栓本体２ａは、切替ハンドル３に接続可能な切替ユニットと、温調ハンドル４と接続可能な温調ユニットとを内蔵してなる。
前記水栓本体２ａは、壁１の背面側に位置する湯配管に偏心継手６を介して連通する湯接続口を有するとともに、壁１の背面側に位置する水配管に偏心継手７を介して連通する水接続口を有する。
【００１０】
以下、この発明の特徴的構成について説明する。
【００１１】
１０は、浴室６０の壁１に設けたパイプ製の手すりで、水栓２よりも高い位置で取付部材１１，１２，１３を介して壁面に沿って取り付けられ、Ｌ字型に形成されている。
【００１２】
前記手すり１０は、９０°型エルボ部材１４と複数種の部材１５〜１８とを組み合わせてねじ結合あるいは嵌め込み等の取り外し自在な連結手段によりＬ字型に連結されてなる。
【００１３】
前記エルボ部材１４と取り外し自在に連結されている前記部材１６，１７は、手すり１０の中間に位置する部材として使用されるものであり、以下部材１６，１７を中間部材という。
【００１４】
また、前記中間部材１６と取り外し自在に連結されている前記部材１５と、中間部材１７と取り外し自在に連結されている前記部材１８は、手すりの両端に位置する部材として使用されるものであり、以下部材１５，１８を端部材という。そして、中間部材１６と端部材１５とで左右に長い水平でストレートな左右横部分Ｐが構成されている。この左右横部分Ｐは、水栓本体２ａの位置から略３００ｍｍ上方に位置する。また、中間部材１７と端部材１８とで上下に長いストレートな上下部分Ｑが構成されている。そして、左右横部分Ｐ、上下部分Ｑおよびエルボ部材１４とで手すり１０が構成されている。
【００１５】
更に、中間部材１６および１７は、それぞれ、正面視略矩形形状で胴部の長手方向に沿った帯状領域に多数のシャワー散水口２０が形成されたストレートでシャープなパイプ形状を有する。
【００１６】
一方、端部材１５は、正面視略矩形形状で胴部の長手方向に沿った帯状領域に多数のシャワー散水口２１が形成されるとともに、一端にキャップ形状の流路切替部材２２を備えたストレートでシャープなパイプ形状を有する。この流路切替部材２２は、シャワー散水口２０，２１とシャワーホース接続口２４に流路を切替える機能を有する。また、端部材１５は連通部材接続口２３を下面部に有するとともに、シャワーホース接続口２４を背面部に有する。前記流路切替部材２２は、手指が引っ掛かるための複数の突起２２ａを円周表面に有する。
【００１７】
また、端部材１８は、正面視略矩形形状で胴部の長手方向に沿った帯状領域に多数のシャワー散水口２１が形成されるとともに、一端にメクラ栓２５を備えたストレートなパイプ形状を有する。
【００１８】
３０は、中間部材１６，１７の外表面に設けた略筒状のスベリ止め部材である。このスベリ止め部材３０は、シャワー散水口２０が露出するよう正面視矩形形状の切欠３０ａを有し、この実施形態では、中間部材１６，１７の外表面全体を覆うようスベリ止め部材３０が設けられている。
【００１９】
３１は、端部材１５の外表面に設けた略筒状のスベリ止め部材である。このスベリ止め部材３１は、シャワー散水口２１が露出するよう正面視矩形形状の切欠３１ａを有し、この実施形態では、取付部材１１、連通部材接続口２３、シャワーホース接続口２４が位置する領域以外の端部材１５の外表面を覆うようスベリ止め部材３１が設けられている。
【００２０】
３２は、端部材１８の外表面に設けた略筒状のスベリ止め部材である。このスベリ止め部材３２は、シャワー散水口２１が露出するよう正面視矩形形状の切欠３２ａを有し、この実施形態では、取付部材１３が位置する領域以外の端部材１８の外表面を覆うようスベリ止め部材３２が設けられている。
【００２１】
これらスベリ止め部材３０，３１，３２は、柔軟性を持たせるため、シリコン系のゴム材や軟質塩化ビニール等の樹脂よりなる半硬質部材である。なお、前記シリコン系のゴム材や軟質塩化ビニール等の樹脂に抗菌剤を添加することにより、雑菌の繁殖を防ぐことができる。また、スベリ止め部材３０，３１，３２で覆われた中間部材１６，１７、端部材１５，１８の握り径（外径）は、規格に合った例えば３４ｍｍに設定され、しっかり握れるよう構成されている。
【００２２】
３３は、水栓２および手すり１０の内部を連通させる連通部材で、端部材１５の連通部材接続口２３と水栓２の水、湯、または混合水の導出部３４とを連通する。
【００２３】
３５は、シャワーホース６に接続されている円筒型のシャワヘッドで、ストレートなパイプ形状の中間部材１６，１７および端部材１５，１８よりなる手すり１０と、円筒形状の水栓本体２ａとにデザイン的にマッチする。
【００２４】
而して、水栓本体２ａに備わっている切替ハンドル３を連通部材３３の側に切り替えた上で、手すり１０に備わっている流路切替部材２２をシャワー散水口２０，２１の側に切り替えると連通部材３３を介して例えば混合水が手すり１０のシャワー散水口２０，２１から散水する。一方、切替ハンドル３を連通部材３３の側に切り替えた上で、流路切替部材２２をシャワーホース接続口２４の側に切り替えると連通部材３３を介して例えば混合水がシャワーホース６を介して手すり１０に接続されているシャワヘッド３５から散水される。
【００２５】
そして、浴室６０の洗い場に位置する壁１に水栓２が設置されているが、この水栓２の直上の空間に、新たに、パイプ製でＬ字型の手すり１０を設けることは、浴室６０のスペースの有効利用の点で好ましいことである。
【００２６】
図２は、前記端部材１５と端部材１８を用いて手すり１０’を構成してあるこの発明の第２の実施形態を示す。なお、図２において、図１に示す符号と同一のものは同一または相当物である。
【００２７】
水栓２よりも高い位置に設けた手すり１０’は、端部材１５と端部材１８を連結することによって左右に長い水平でストレートな形状に形成されており、浴室６０の洗い場に位置する壁１で、水栓２よりも高い位置に設置されている。
而して、水栓本体２ａに備わっている切替ハンドル３を連通部材３３の側に切り替えた上で、手すり１０’に備わっている流路切替部材２２をシャワー散水口２１の側に切り替えると連通部材３３を介して例えば混合水がシャワー散水口２１から散水する。一方、切替ハンドル３を連通部材３３の側に切り替えた上で、流路切替部材２２をシャワーホース接続口２４の側に切り替えると連通部材３３を介して例えば混合水がシャワヘッド３５から散水される。
【００２８】
図３は、シャワーホース接続口２４を無くしシャワー散水口２０，２１だけを設けてパイプ製でＬ字型の手すり１０’’を構成してあるこの発明の第３の実施形態を示す。なお、図３において、図１、図２に示す符号と同一のものは同一または相当物である。
【００２９】
この実施形態では、中間部材１７と端部材１８を連結することによって上下に長いストレートな上下部分Ｑが構成されるとともに、中間部材１６と取り外し自在に連結される前記端部材１５とは別タイプの端部材１５’を設け、中間部材１６と前記別タイプの端部材１５’を連結することによって左右に長い水平でストレートな左右横部分Ｐ’が構成されている。そして、この左右横部分Ｐ’と上下部分Ｑとから手すり１０’’が構成される。
【００３０】
前記端部材１５’は、連通部材接続口２３を胴下面部に有し、取付部材１１を介して壁１に沿って取付けられているが、一端にキャップ形状の流路切替部材２２を備えた前記端部材１５とは異なり、一端にメクラ栓２５’を有する。また、前記端部材１５’は、シャワーホース接続口２４を胴背面部に有する前記端部材１５とは異なり、シャワーホース接続口２４に相当するものを持っていない。
【００３１】
而して、水栓本体２ａに備わっている切替ハンドル３を連通部材３３の側に切り替えると例えば混合水がシャワー散水口２０，２１から散水する。
【００３２】
図４は、水栓２と、この水栓２よりも高い位置に設けたパイプ製の手すり６１と、水栓２および手すり６１の内部を連通させる連通部材３３とで構成され、浴槽用吐水管６２が接続される吐水管接続口６３と、シャワーホース接続口２４とを左右横部分６５の胴部に有する手すり６１を備えたこの発明の第４の実施形態を示す。なお、図４において、図１〜図３に示す符号と同一のものは同一または相当物である。
【００３３】
この実施形態で用いるパイプ製の手すり６１は、浴室６０の壁１に設置してある水栓２よりも略３０ｍｍ高い位置で取付部材１１，１２，１３を介して壁面に沿って壁１に取り付けてある。
【００３４】
前記手すり６１は、上下部分６４と左右横部分６５よりなるＬ字型に形成されている。上下部分６４と左右横部分６５は９０°型エルボ部材１４で連結されている。
【００３５】
前記左右横部分６５は、一端にキャップ形状の流路切替部材２２を備えたストレートでシャープな長いパイプ形状を有する。この左右横部分６５の長さは、上記第１，３の各実施形態で用いた前記左右横部分Ｐ，Ｐ’や上記第２の実施形態で用いた手すり１０’の長さに略等しい。
【００３６】
前記流路切替部材２２は、吐水管接続口６３の側とシャワーホース接続口２４の側に流路を切替える機能を有する。また、前記左右横部分６５は、連通部材接続口２３を胴下面部に有するとともに、シャワーホース接続口２４を胴背面部に有する。前記流路切替部材２２は、手指が引っ掛かるための複数の突起２２ａを円周表面に有する。
【００３７】
一方、前記上下部分６４は、一端にメクラ栓２５を備えたストレートなパイプ形状を有する。この上下部分６４の長さは、上記第１，３の各実施形態で用いた前記上下部分Ｑの長さに略等しい。また、前記上下部分６４および左右横部分６５は、それぞれ、少なくとも中間領域における外表面を覆うようスベリ止め部材３０’が設けられている。このスベリ止め部材３０’は、上記各実施形態で示したスベリ止め部材３０，３１，３２と同一の材料よりなる。
【００３８】
而して、水栓本体２ａに備わっている切替ハンドル３を連通部材３３の側に切り替えた上で、手すり６１に備わっている流路切替部材２２をシャワーホース接続口２４の側に切り替えると連通部材３３を介して例えば混合水がシャワヘッド３５から散水される。一方、切替ハンドル３を連通部材３３の側に切り替えた上で、流路切替部材２２を吐水管接続口６３の側に切り替えると連通部材３３を介して例えば混合水が浴槽用吐水管６２から浴槽に吐水する。
【００３９】
そのため、この水栓装置を用いれば、浴槽用吐水管を予め手すりに設けているので、別途単独に設置する必要はなくなる。
【００４０】
また、浴室６０の洗い場に位置する壁１に水栓２が設置されているが、この水栓２の直上の空間に、新たに、パイプ製でＬ字型の手すり６１を設けることは、浴室６０のスペースの有効利用の点で好ましいことである。
【００４１】
また、円筒型のシャワヘッド３５は、ストレートなパイプ形状の上下部分６４と左右横部分６５よりなる手すり６１と、円筒形状の水栓本体２ａとにデザイン的にマッチする。
【００４２】
図５は、上記第４の実施形態の変形例を示す。図５において、図１〜図４に示す符号と同一のものは同一または相当物である。
【００４３】
図５において、６６は、浴槽である。この実施形態で用いる手すり６１’は、水栓２よりも略３０ｍｍ高い位置で取付部材１１，１２，１３を介して洗い場側の壁１と浴槽側の壁１’に取り付けたパイプ製のもので、浴槽側の壁１’に壁面に沿って水平に取り付けたストレートなパイプ形状の左右縦部分６７と、洗い場側の壁１に壁面に沿って水平に取り付けたストレートなパイプ形状の左右横部分６８と、この左右横部分６８の略中間位置から洗い場側の壁１に壁面に沿って上方向に突出したストレートなパイプ形状の上下部分６９とよりなる。
【００４４】
なお、この発明は、シャワルームにも適用できる。
【００４５】
【発明の効果】
以上説明したようにこの発明では、スペースをできるだけとらずに手すりの設置を可能とする浴室、シャワルームにおける手すりを備えた水栓装置を提供することができる。
【００４６】
例えば、複数種の部材を自由に組み合わせてこれらをねじ結合あるいは嵌め込み等の取り外し自在な連結手段により連結することにより、異なる形状の手すりをうることができる。
【００４７】
また、浴槽用吐水管を予め手すりに設けているので、別途単独に設置する必要はなくなる。
【図面の簡単な説明】
【図１】  この発明の第１の実施形態を示す斜視図である。
【図２】  この発明の第２の実施形態を示す斜視図である。
【図３】  この発明の第３の実施形態を示す斜視図である。
【図４】  この発明の第４の実施形態を示す斜視図である。
【図５】  上記第４の実施形態の変形例を示す全体斜視図である。
【図６】  従来例を示す全体斜視図である。
【符号の説明】
１…壁、２…水栓、１０…手すり、２０，２１…シャワー散水口、２４…シャワーホース接続口、３３…連通部材、６０…浴室。
【図１】
0003752162.tif 000002
【図２】
0003752162.tif 000003
【図３】
0003752162.tif 000004
【図４】
0003752162.tif 000005
【図５】
0003752162.tif 000006
【図６】
0003752162.tif 000007